【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
治療用衝撃波を発生させるための装置であって、前記装置は、
チャンバおよび衝撃波出口を画定する筐体と、
前記チャンバの中に配置される液体と、
前記チャンバの中に配置されることにより、１つまたは複数のスパーク間隙を画定するように構成された複数の電極と、
１０Ｈｚ〜５ＭＨｚの間の割合で電圧パルスを前記複数の電極に印加するように構成されたパルス発生システムと
を備え、前記パルス発生システムは、前記液体の一部が蒸発させられて前記液体および前記衝撃波出口を通して衝撃波を伝搬するように、前記電圧パルスを前記複数の電極に印加するように構成されている、装置。
【請求項２】
治療用衝撃波を発生させるための装置であって、前記装置は、
チャンバおよび衝撃波出口を画定する筐体であって、前記チャンバは、液体で充填されるように構成されている、筐体と、
複数のスパーク間隙を画定するように前記チャンバの中に配置された複数の電極と
を備え、前記複数の電極は、前記液体の一部が蒸発させられて前記液体および前記衝撃波出口を通して衝撃波を伝搬するように、１０Ｈｚ〜５ＭＨｚの間の割合でパルス発生システムから電圧パルスを受け取るように構成されている、装置。
【請求項３】
治療用衝撃波を発生させるための装置であって、前記装置は、
チャンバおよび衝撃波出口を画定する筐体であって、前記チャンバは、液体で充填されるように構成されている、筐体と、
前記チャンバの中に配置されて、１つまたは複数のスパーク間隙を画定するように構成された複数の電極と
を備え、前記複数の電極は、前記液体の一部が蒸発させられて前記液体および前記衝撃波出口を通して衝撃波を伝搬するように、パルス発生システムから電圧パルスを受け取るように構成され、
前記筐体は、ユーザが標的細胞を備える患者の領域を視認することを可能にするように構成された半透明または透明窓を備える、装置。
【請求項４】
前記複数の電極は、前記窓および前記衝撃波出口を通して領域を視認するユーザにとって可視的ではない、請求項３に記載の装置。
【請求項５】
前記窓と前記複数の電極との間に配置される光学遮蔽体をさらに備える、請求項４に記載の装置。
【請求項６】
前記複数の電極は、前記窓および前記衝撃波出口を通って延在する光学経路からオフセットされている、請求項４に記載の装置。
【請求項７】
前記複数の電極から前記衝撃波出口へ衝撃波を反射するように構成された音響ミラーをさらに備える、請求項６に記載の装置。
【請求項８】
前記音響ミラーは、ガラスを含む、請求項７に記載の装置。
【請求項９】
前記１つまたは複数のスパーク間隙は、複数のスパーク間隙を備える、請求項１〜８のいずれかに記載の装置。
【請求項１０】
前記複数の電極は、前記パルス発生システムに取り外し可能に結合されるように構成されている、請求項１〜９のいずれかに記載の装置。
【請求項１１】
前記筐体は、交換可能である、請求項１〜１０のいずれかに記載の装置。
【請求項１２】
スパークモジュールをさらに備え、前記スパークモジュールは、前記スパークモジュールを前記筐体に解放可能に結合するように構成された側壁を備え、
前記複数の電極は、前記スパークモジュールが前記筐体に結合された場合に前記複数の電極が前記チャンバの中に配置されるように、前記側壁に結合される、請求項１〜１１のいずれかに記載の装置。
【請求項１３】
前記側壁は、ポリマーを含む、請求項１２に記載の装置。
【請求項１４】
前記スパークモジュールの前記側壁は、前記筐体と協働して前記チャンバを画定するように構成されている、請求項１２に記載の装置。
【請求項１５】
前記側壁は、内側に前記複数の電極が配置されるスパークチャンバを画定し、前記スパークチャンバは、液体で充填されるように構成され、前記側壁の少なくとも一部分は、前記スパークチャンバ中の液体から前記筐体の前記チャンバ中の液体へ衝撃波を伝えるように構成されている、請求項１２〜１３のいずれかに記載の装置。
【請求項１６】
前記スパークモジュールの前記側壁は、ピン、溝、またはねじ山のうちの少なくとも１つを備え、前記筐体は、前記スパークモジュールを前記筐体に解放可能に結合するように、対応する溝、ピン、またはねじ山のうちの少なくとも１つを備える、請求項１２〜１５のいずれかに記載の装置。
【請求項１７】
前記筐体は、前記スパークモジュールが前記筐体に結合されたときに前記チャンバと流体連通するように構成された第１の液体コネクタを含み、前記スパークモジュールの前記側壁は、前記スパークモジュールが前記筐体に結合されたときに前記チャンバと流体連通するように構成された第２の液体コネクタを含む、請求項１２および１６のいずれかに記載の装置。
【請求項１８】
前記筐体は、２つの液体コネクタをさらに備える、請求項１〜１６のいずれかに記載の装置。
【請求項１９】
液体貯留部と、
前記２つの液体コネクタを介して、前記貯留部から前記筐体の前記チャンバへ液体を循環させるように構成されたポンプと
をさらに備える、請求項１７〜１８のいずれかに記載の装置。
【請求項２０】
前記パルス発生システムは、２０Ｈｚ〜２００Ｈｚの割合で電圧パルスを前記複数の電極に印加するように構成されている、請求項１〜１９のいずれかに記載の装置。
【請求項２１】
前記パルス発生システムは、５０Ｈｚ〜２００Ｈｚの割合で電圧パルスを前記複数の電極に印加するように構成されている、請求項２０に記載の装置。
【請求項２２】
前記パルス発生システムは、
第１の容量／誘導コイル回路
を備え、前記第１の容量／誘導コイル回路は、
前記電圧パルスのうちの少なくともいくつかを印加するように放電されるように構成された誘導コイルと、
スイッチと、
コンデンサと
を備え、前記コンデンサおよび前記スイッチは、前記誘導コイルと電流源との間で並列に結合されている、請求項１〜２１のいずれかに記載の装置。
【請求項２３】
前記パルス発生システムは、
前記第１の容量／誘導コイル回路に類似する第２の容量／誘導コイル回路と、
前記第１の容量／誘導コイル回路および第２の容量／誘導コイル回路のそれぞれの前記誘導コイルの放電を調整するように構成されたタイミングユニットと
を備える、請求項９に直接的または間接的に従属する、請求項２２に記載の装置。
【請求項２４】
前記装置は、標的細胞を備える患者の領域に隣接して位置付けられるように構成され、
前記パルス発生システムは、前記流体を通して前記標的細胞に衝撃波を伝搬するように起動させられるように構成されている、請求項１〜２３のいずれかに記載の装置。
【請求項２５】
前記複数の衝撃波の少なくとも一部分は、入墨を含む患者の表皮層の一部分に送達される、請求項２４に記載の装置。
【請求項２６】
スパークモジュールを備える装置であって、前記スパークモジュールは、
前記スパークモジュールをプローブに解放可能に結合するように構成された側壁と、
前記側壁の第１の側面上に配置され、１つまたは複数のスパーク間隙を画定する、複数の電極と、
前記複数の電極と電気連通し、前記１つまたは複数のスパーク間隙を横断してスパークを発生させるように前記電極をパルス発生システムに解放可能に接続するように構成された複数の電気コネクタと
を備える、装置。
【請求項２７】
前記側壁は、ポリマーを含む、請求項２６に記載の装置。
【請求項２８】
前記側壁は、前記側壁を通して液体を連通させるように構成された液体コネクタを含む、請求項２６に記載の装置。
【請求項２９】
前記側壁は、内側に前記複数の電極が配置されるスパークチャンバを画定し、前記スパークチャンバは、液体で充填されるように構成され、前記側壁の少なくとも一部分は、前記スパークチャンバ中の液体から前記筐体の前記チャンバ中の液体へ衝撃波を伝えるように構成されている、請求項２６〜２７のいずれかに記載の装置。
【請求項３０】
前記スパークモジュールはさらに、前記スパークチャンバを液体で充填することができるように、前記スパークチャンバと流体連通している１つまたは複数の液体コネクタを備える、請求項２９に記載の装置。
【請求項３１】
前記１つまたは複数の液体コネクタは、前記スパークチャンバを通して液体を循環させることができる２つの液体コネクタを備える、請求項３０に記載の装置。
【請求項３２】
前記側壁は、前記スパークモジュールを、チャンバを有する前記プローブに解放可能に結合するように構成され、それにより、前記電極が前記プローブの前記チャンバ内に配置される、請求項２６〜２９のいずれかに記載の装置。
【請求項３３】
前記側壁および前記プローブは、前記チャンバを画定するように協働する、請求項３２に記載の装置。
【請求項３４】
前記スパークモジュールはさらに、前記プローブの前記チャンバと流体連通している１つまたは複数の液体コネクタを備え、それにより、前記プローブの前記チャンバを、前記１つまたは複数の液体コネクタを通る液体で充填することができる、請求項３２に記載の装置。
【請求項３５】
前記１つまたは複数の液体コネクタは、２つの液体コネクタを備え、前記２つの液体コネクタを介して、前記プローブの前記チャンバを通して液体を循環させることができる、請求項３４に記載の装置。
【請求項３６】
前記スパークモジュールは、前記スパークモジュールが前記プローブに結合されたときに前記チャンバと流体連通するように構成された第１の液体コネクタを含み、前記プローブは、前記スパークモジュールが前記プローブに結合されたときに前記チャンバと流体連通するように構成された第２の液体コネクタを含む、請求項３４に記載の装置。
【請求項３７】
前記１つまたは複数のスパーク間隙は、複数のスパーク間隙を備える、請求項２６〜３５のいずれかに記載の装置。
【請求項３８】
前記複数の電極は、２つのスパーク間隙を画定する３つまたは４つの電極を備える、請求項３７に記載の装置。
【請求項３９】
前記３つまたは４つの電極は、第１の周囲電極と、前記第１の電極から離間された第２の周囲電極と、前記周囲電極間で前後に移動するように構成された１つまたは２つの中心電極とを備える、請求項３８に記載の装置。
【請求項４０】
前記スパークモジュールはさらに、前記１つまたは２つの中心電極に結合された伸長部材を備え、前記伸長部材は、前記周囲電極間で前後に前記１つまたは２つの中心電極を保持するように移動するように構成されている、請求項３９に記載の装置。
【請求項４１】
前記１つまたは２つの中心電極は、２つの中心電極を備え、前記２つの中心電極は、相互と電気連通し、前記伸長部材の両側に配置される、請求項４０に記載の装置。
【請求項４２】
前記伸長部材は、動作周波数の期待範囲内で前記周囲電極と前記１つまたは２つの中心電極との間の前記スパーク間隙を自己調整するように構成される、請求項４０〜４１のいずれかに記載の装置。
【請求項４３】
前記動作周波数の期待範囲は、１０Ｈｚ〜５ＭＨｚである、請求項４２に記載の装置。
【請求項４４】
前記伸長部材は、前記側壁に枢動可能に結合され、１つまたは複数のばねアームによって初期位置に向かって付勢される、請求項４０〜４２のいずれかに記載の装置。
【請求項４５】
前記伸長部材および前記１つまたは複数のばねアームは、動作周波数の期待範囲内で前記スパークモジュールのパルス繰り返し数を決定するように構成されている、請求項４４に記載の装置。
【請求項４６】
前記動作周波数の期待範囲は、１０Ｈｚ〜５ＭＨｚである、請求項４５に記載の装置。
【請求項４７】
前記装置は、前記伸長部材の移動が、前記１つまたは２つの中心電極と前記周囲電極のそれぞれとの間の前記スパーク間隙を自動的かつ交互に調整するように、前記電極が液体に浸漬されている間に前記電極間で電気パルスを放電するように構成されている、請求項４４〜４５のいずれかに記載の装置。
【請求項４８】
前記伸長部材は、前記側壁に固定関係で結合される基部を有する弾性ビームを備える、請求項４０〜４２のいずれかに記載の装置。
【請求項４９】
前記弾性ビームは、期待動作条件において前記スパークモジュールのパルス繰り返し数を決定するように構成される、請求項４８に記載の装置。
【請求項５０】
前記装置は、前記弾性ビームの移動が、前記１つまたは２つの中心電極と前記周囲電極のそれぞれとの間の前記スパーク間隙を自動的かつ交互に調整するように、前記電極が液体に浸漬されている間に前記電極間で電気パルスを放電するように構成されている、請求項４８〜４９のいずれかに記載の装置。
【請求項５１】
前記スパークモジュールの前記側壁は、ピン、溝、またはねじ山のうちの少なくとも１つを備え、前記スパークモジュールを前記筐体に解放可能に結合するように、対応する溝、ピン、またはねじ山のうちの少なくとも１つを備えるプローブに結合されるように構成されている、請求項２６〜３５のいずれかに記載の装置。
【請求項５２】
前記複数の電極が液体で充填可能であるチャンバの中に配置されるように、かつ前記電極から生じる衝撃波が前記装置の衝撃波出口を通って進行するように、前記スパークモジュールに結合されるように構成されたプローブをさらに備える、請求項２６〜５１のいずれかに記載の装置。
【請求項５３】
前記チャンバは、液体で充填される、請求項５２に記載の装置。
【請求項５４】
前記プローブは、追加のチャンバを画定せず、それにより、前記スパークチャンバが、前記電極から生じる衝撃波が通って伝搬する唯一のチャンバである、請求項２９に直接的または間接的に従属する、請求項５２〜５３のいずれかに記載の装置。
【請求項５５】
前記プローブは、第２のチャンバを画定し、前記スパークモジュールが前記プローブに結合された場合に前記第２のチャンバ内に前記スパークチャンバが配置される、請求項２９に直接的または間接的に従属する、請求項５２〜５３のいずれかに記載の装置。
【請求項５６】
前記プローブは、前記スパークモジュールの前記複数の電気コネクタに結合されるように構成された複数の電気コネクタを含む、請求項５２〜５５のいずれかに記載の装置。
【請求項５７】
前記プローブは、前記スパークモジュールの前記１つまたは複数の液体コネクタに結合されるように構成された１つまたは複数の液体コネクタを含む、請求項３０および３４のいずれかに直接的または間接的に従属する、請求項５６に記載の装置。
【請求項５８】
前記プローブは、前記スパークモジュールの前記２つの液体コネクタに結合されるように構成された２つの液体コネクタを含む、請求項３１および３５のいずれかに直接的または間接的に従属する、請求項５７に記載の装置。
【請求項５９】
前記スパークモジュールは、前記スパークモジュールが前記プローブに結合されると、前記スパークモジュールの前記電気コネクタおよび液体コネクタが、前記プローブのそれぞれの電気コネクタおよび液体コネクタに同時に接続されるように、前記プローブに結合されるように構成されている、請求項５７〜５８のいずれかに記載の装置。
【請求項６０】
前記プローブは、前記スパークモジュールの前記１つまたは複数の液体コネクタに結合されるように構成された１つまたは複数の液体コネクタを含む、請求項３０および３４のいずれかに直接的または間接的に従属する、請求項５２〜５５のいずれかに記載の装置。
【請求項６１】
前記プローブは、２つまたはそれより多い電導体と、液体を連通させるための２つの管腔とを有する複合接続部を含み、前記複合接続部は、２つまたはそれより多い電導体と、液体を連通させるための２つの管腔とを有する複合テザーまたはケーブルに結合されるように構成されている、請求項５２〜６０のいずれかに記載の装置。
【請求項６２】
前記複合接続部は、前記複合テザーまたはケーブルに取り外し可能に結合されるように構成されている、請求項６１に記載の装置。
【請求項６３】
前記プローブは、ユーザが標的細胞を備える患者の領域を視認することを可能にするように構成された半透明または透明窓を伴う筐体を含む、請求項５２〜６２のいずれかに記載の装置。
【請求項６４】
前記スパークモジュールが前記プローブに結合された場合、前記複数の電極は、前記窓および前記衝撃波出口を通して領域を視認するユーザにとって可視的ではない、請求項６３に記載の装置。
【請求項６５】
前記窓と前記複数の電極との間に配置された光学遮蔽体をさらに備える、請求項６４に記載の装置。
【請求項６６】
前記光学遮蔽体は、明るい光の存在下で暗くなるかまたは不透明度が増加する感光性材料を含む、請求項６５に記載の装置。
【請求項６７】
前記複数の電極は、前記窓および前記衝撃波出口を通って延在する光学経路からオフセットされる、請求項６４に記載の装置。
【請求項６８】
前記複数の電極から前記衝撃波出口へ衝撃波を反射するように構成された音響ミラーをさらに備える、請求項６７に記載の装置。
【請求項６９】
前記音響ミラーは、ガラスを含む、請求項６８に記載の装置。
【請求項７０】
１つまたは複数のスパーク間隙を画定する複数の電極を有するスパークモジュールに結合されるように構成されたプローブをさらに備え、前記複数の電極が、液体で充填可能であるチャンバの中に配置される、装置。
【請求項７１】
前記チャンバは、液体で充填される、請求項７０に記載の装置。
【請求項７２】
前記プローブは、前記スパークモジュールと協働して前記チャンバを画定するように構成されている、請求項７０に記載の装置。
【請求項７３】
前記プローブは、前記スパークモジュールが前記プローブに結合されたときに前記チャンバと流体連通するように構成された第１の液体コネクタを含み、かつ前記スパークモジュールが前記プローブに結合されたときに前記チャンバと流体連通するように構成された第２の液体コネクタを含むスパークモジュールに結合されるように構成される、請求項７０〜７２のいずれかに記載の装置。
【請求項７４】
前記スパークモジュールは、内側に前記複数の電極が配置されるスパークチャンバを画定する側壁を含み、前記プローブは、追加のチャンバを画定せず、それにより、前記スパークチャンバが、前記電極から生じる衝撃波が通って伝搬する唯一のチャンバである、請求項７０〜７１のいずれかに記載の装置。
【請求項７５】
前記スパークモジュールは、内側に前記複数の電極が配置されるスパークチャンバを画定する側壁を含み、前記プローブは、前記スパークモジュールが前記プローブに結合された場合に内側に前記スパークチャンバが配置される第２のチャンバを画定する、請求項７０〜７１のいずれかに記載の装置。
【請求項７６】
前記プローブは、前記複数の電極と電気連通している前記スパークモジュールの複数の電気コネクタに結合されるように構成された複数の電気コネクタを含む、請求項７０〜７５のいずれかに記載の装置。
【請求項７７】
前記プローブは、前記スパークモジュールの１つまたは複数の液体コネクタに結合されるように構成された１つまたは複数の液体コネクタを含む、請求項７６に記載の装置。
【請求項７８】
前記プローブは、前記スパークモジュールの前記２つの液体コネクタに結合されるように構成された２つの液体コネクタを含む、請求項７７に記載の装置。
【請求項７９】
前記スパークモジュールは、前記スパークモジュールが前記プローブに結合されると、前記スパークモジュールの前記電気コネクタおよび液体コネクタが、前記プローブのそれぞれの電気コネクタおよび液体コネクタに同時に接続されるように、前記プローブに結合されるように構成されている、請求項７７〜７８のいずれかに記載の装置。
【請求項８０】
前記プローブは、２つまたはそれより多い電導体と、液体を連通させるための２つの管腔とを有する複合接続部を含み、前記複合接続部は、２つまたはそれより多い電導体と、液体を連通させるための２つの管腔とを有する複合テザーまたはケーブルに結合されるように構成されている、請求項７０〜７９のいずれかに記載の装置。
【請求項８１】
前記複合接続部は、前記複合テザーまたはケーブルに取り外し可能に結合されるように構成されている、請求項８０に記載の装置。
【請求項８２】
前記プローブは、ユーザが標的細胞を備える患者の領域を視認することを可能にするように構成された半透明または透明窓を伴う筐体を含む、請求項７０〜８１のいずれかに記載の装置。
【請求項８３】
前記スパークモジュールが前記プローブに結合された場合、前記複数の電極は、前記窓および前記衝撃波出口を通して領域を視認するユーザにとって可視的ではない、請求項８２に記載の装置。
【請求項８４】
前記窓と前記複数の電極との間に配置される光学遮蔽体をさらに備える、請求項８３に記載の装置。
【請求項８５】
前記複数の電極は、前記窓および前記衝撃波出口を通って延在する光学経路からオフセットされる、請求項８３に記載の装置。
【請求項８６】
前記複数の電極から前記衝撃波出口へ衝撃波を反射するように構成された音響ミラーをさらに備える、請求項８５に記載の装置。
【請求項８７】
前記音響ミラーは、ガラスを含む、請求項８６に記載の装置。
【請求項８８】
電荷を繰り返し貯蔵して放出するように構成されたパルス発生システムをさらに備え、前記パルス発生システムは、前記スパークモジュールの前記電極を通して前記電荷を放出するように、前記スパークモジュールの前記電気コネクタに結合されるように構成されている、請求項５２〜８７のいずれかに記載の装置。
【請求項８９】
前記パルス発生システムは、単一の充電／放電回路を含む、請求項８８に記載の装置。
【請求項９０】
前記パルス発生システムは、複数の充電／放電回路と、前記複数の充電／放電回路の充電および放電を調整するように構成されたタイミングユニットとを含む、請求項８８に記載の装置。
【請求項９１】
前記充電／放電回路のそれぞれは、容量／誘導コイル回路を含む、請求項８９〜９０のいずれかに記載の装置。
【請求項９２】
各容量／誘導コイル回路は、
前記電圧パルスのうちの少なくともいくつかを印加するように放電されるように構成された誘導コイルと、
スイッチと、
コンデンサと
を備え、前記コンデンサおよび前記スイッチは、前記誘導コイルと前記タイミングユニットとの間で並列に結合される、請求項９１に記載の装置。
【請求項９３】
前記パルス発生システムは、２０Ｈｚ〜２００Ｈｚの割合で電圧パルスを前記複数の電極に印加するように構成されている、請求項８８〜９２のいずれかに記載の装置。
【請求項９４】
前記パルス発生システムは、５０Ｈｚ〜２００Ｈｚの割合で電圧パルスを前記複数の電極に印加するように構成されている、請求項９３に記載の装置。
【請求項９５】
液体貯留部と、
前記貯留部から前記筐体の前記チャンバへ液体を循環させるように構成されたポンプと
をさらに備える、請求項８２〜８９のいずれかに記載の装置。
【請求項９６】
複数の充電／放電回路と、１０の間の割合で前記複数の充電／放電回路の充電および放電を調整するように構成されたタイミングユニットとを含むパルス発生システムを備え、前記パルス発生システムは、スパークモジュールの複数の電極に結合されて、前記電極を通して前記充電／放電回路を放電するように構成されている、装置。
【請求項９７】
構成されたものをさらに備える、請求項９６に記載の装置。
【請求項９８】
前記充電／放電回路のそれぞれは、容量／誘導コイル回路を含む、請求項９６に記載の装置。
【請求項９９】
各容量／誘導コイル回路は、
電圧パルスのうちの少なくともいくつかを印加するように放電されるように構成された誘導コイルと、
スイッチと、
コンデンサと
を備え、前記コンデンサおよび前記スイッチは、前記誘導コイルと前記タイミングユニットとの間で並列に結合される、請求項９８に記載の装置。
【請求項１００】
前記パルス発生システムは、２０Ｈｚ〜２００Ｈｚの割合で電圧パルスを前記複数の電極に印加するように構成されている、請求項９６〜９９のいずれかに記載の装置。
【請求項１０１】
前記パルス発生システムは、５０Ｈｚ〜２００Ｈｚの割合で電圧パルスを前記複数の電極に印加するように構成されている、請求項１００に記載の装置。
【請求項１０２】
液体貯留部と、
前記貯留部から前記筐体の前記チャンバへ液体を循環させるように構成されたポンプと、
をさらに備える、請求項９６〜１０１のいずれかに記載の装置。
【請求項１０３】
前記装置は、標的細胞を備える患者の領域に隣接するように位置付けられるように構成され、
前記パルス発生システムは、前記流体を通して前記標的細胞に衝撃波を伝搬するように起動させられるように構成されている、請求項５２〜６９のいずれか、または、請求項５２〜６９に直接的または間接的に従属する請求項８２〜９５のいずれかに記載の装置。
【請求項１０４】
前記複数の衝撃波の少なくとも一部分は、入墨を含む患者の表皮層の一部分に送達される、請求項１０３に記載の装置。
【請求項１０５】
１０の間の周波数で複数の衝撃波を電気液圧式に発生させるための手段と、
異質性の少なくとも１つの領域を備える少なくとも１つの細胞構造に、前記複数の衝撃波の少なくとも一部分を送達するための手段と
を含み、
前記少なくとも１つの細胞構造は、前記複数の衝撃波の持続的送達によって断裂される、装置。
【請求項１０６】
前記異質性の少なくとも１つの領域は、前記少なくとも１つの細胞構造の有効密度を上回る有効密度を備える、請求項１０５に記載の装置。
【請求項１０７】
音響波の周波数を変動させるための手段をさらに含む、請求項１０５に記載の装置。
【請求項１０８】
前記複数の衝撃波の少なくとも一部分は、患者の表皮層に送達される、請求項１０５に記載の装置。
【請求項１０９】
前記衝撃波を受け取る前記表皮層の一部分は、入墨顔料粒子を含有する細胞を含む、請求項１０８に記載の装置。
【請求項１１０】
異質性の少なくとも１つの領域を備える少なくとも１つの細胞構造が断裂するまで、前記少なくとも１つの細胞構造に電気液圧式に発生させられた複数の衝撃波を送達するための手段を含む、装置。
【請求項１１１】
前記複数の衝撃波の少なくとも一部分は、入墨顔料粒子を含有する細胞を含む患者の表皮層の一部分に送達される、請求項１１０に記載の装置。
【請求項１１２】
前記衝撃波は、２４時間の期間で３０分以下の間前記少なくとも１つの細胞構造に送達される、請求項２４〜２５および１０３〜１１０のいずれかに記載の装置。
【請求項１１３】
前記衝撃波は、２４時間の期間で２０分以下の間前記少なくとも１つの細胞構造に送達される、請求項１１１に記載の装置。
【請求項１１４】
２００〜５０００の衝撃波が、衝撃波出口の複数の位置のそれぞれにおいて、３０秒〜２０分で送達される、請求項１１１〜１１３のいずれに記載の装置。
【請求項１１５】
前記衝撃波を送達している間に、患者の皮膚の一部分に張力を加えるための手段をさらに含む、請求項２４〜２５および１０３〜１１４のいずれかに記載の装置。
【請求項１１６】
前記張力を加えるための手段は、前記患者の皮膚の前記一部分に押し付けられるように構成された凸状出口部材である、請求項１１５に記載の装置。
【請求項１１７】
レーザ光を前記少なくとも１つの細胞構造に送達するための手段、および／または
化学または生物学的薬剤を前記少なくとも１つの細胞構造に送達するための手段
をさらに含む、請求項１０３〜１１６のいずれかに記載の装置。
【手続補正２】
【補正対象書類名】明細書
【補正対象項目名】００３８
【補正方法】変更
【補正の内容】
【００３８】
上記で説明される実施形態およびその他と関連付けられる詳細が、以下で提示される。
本発明は、例えば、以下を提供する。
（項目１）
治療用衝撃波を発生させるための装置であって、前記装置は、
チャンバおよび衝撃波出口を画定する筐体と、
前記チャンバの中に配置される液体と、
前記チャンバの中に配置されることにより、１つまたは複数のスパーク間隙を画定するように構成された複数の電極と、
１０Ｈｚ〜５ＭＨｚの間の割合で電圧パルスを前記複数の電極に印加するように構成されたパルス発生システムと
を備え、前記パルス発生システムは、前記液体の一部が蒸発させられて前記液体および前記衝撃波出口を通して衝撃波を伝搬するように、前記電圧パルスを前記複数の電極に印加するように構成されている、装置。
（項目２）
治療用衝撃波を発生させるための装置であって、前記装置は、
チャンバおよび衝撃波出口を画定する筐体であって、前記チャンバは、液体で充填されるように構成されている、筐体と、
複数のスパーク間隙を画定するように前記チャンバの中に配置された複数の電極と
を備え、前記複数の電極は、前記液体の一部が蒸発させられて前記液体および前記衝撃波出口を通して衝撃波を伝搬するように、１０Ｈｚ〜５ＭＨｚの間の割合でパルス発生システムから電圧パルスを受け取るように構成されている、装置。
（項目３）
治療用衝撃波を発生させるための装置であって、前記装置は、
チャンバおよび衝撃波出口を画定する筐体であって、前記チャンバは、液体で充填されるように構成されている、筐体と、
前記チャンバの中に配置されて、１つまたは複数のスパーク間隙を画定するように構成された複数の電極と
を備え、前記複数の電極は、前記液体の一部が蒸発させられて前記液体および前記衝撃波出口を通して衝撃波を伝搬するように、パルス発生システムから電圧パルスを受け取るように構成され、
前記筐体は、ユーザが標的細胞を備える患者の領域を視認することを可能にするように構成された半透明または透明窓を備える、装置。
（項目４）
前記複数の電極は、前記窓および前記衝撃波出口を通る領域を視認するユーザにとって可視的ではない、項目３に記載の装置。
（項目５）
前記窓と前記複数の電極との間に配置される光学遮蔽体をさらに備える、項目４に記載の装置。
（項目６）
前記複数の電極は、前記窓および前記衝撃波出口を通って延在する光学経路からオフセットされている、項目４に記載の装置。
（項目７）
前記複数の電極から前記衝撃波出口へ衝撃波を反射するように構成された音響ミラーをさらに備える、項目６に記載の装置。
（項目８）
前記音響ミラーは、ガラスを含む、項目７に記載の装置。
（項目９）
前記１つまたは複数のスパーク間隙は、複数のスパーク間隙を備える、項目１〜８のいずれかに記載の装置。
（項目１０）
前記複数の電極は、前記パルス発生システムに取り外し可能に結合されるように構成される、項目１〜９のいずれかに記載の装置。
（項目１１）
前記筐体は、交換可能である、項目１〜１０のいずれかに記載の装置。
（項目１２）
スパークモジュールをさらに備え、前記スパークモジュールは、前記スパークモジュールを前記筐体に解放可能に結合するように構成された側壁を備え、
前記複数の電極は、前記スパークモジュールが前記筐体に結合された場合に前記複数の電極が前記チャンバの中に配置されるように、前記側壁に結合される、項目１〜１１のいずれかに記載の装置。
（項目１３）
前記側壁は、ポリマーを含む、項目１２に記載の装置。
（項目１４）
前記スパークモジュールの前記側壁は、前記筐体と協働して前記チャンバを画定するように構成されている、項目１２に記載の装置。
（項目１５）
前記側壁は、内側に前記複数の電極が配置されるスパークチャンバを画定し、前記スパークチャンバは、液体で充填されるように構成され、前記側壁の少なくとも一部分は、前記スパークチャンバ中の液体から前記筐体の前記チャンバ中の液体へ衝撃波を伝えるように構成されている、項目１２〜１３のいずれかに記載の装置。
（項目１６）
前記スパークモジュールの前記側壁は、ピン、溝、またはねじ山のうちの少なくとも１つを備え、前記筐体は、前記スパークモジュールを前記筐体に解放可能に結合するように、対応する溝、ピン、またはねじ山のうちの少なくとも１つを備える、項目１２〜１５のいずれかに記載の装置。
（項目１７）
前記筐体は、前記スパークモジュールが前記筐体に結合されたときに前記チャンバと流体連通するように構成された第１の液体コネクタを含み、前記スパークモジュールの前記側壁は、前記スパークモジュールが前記筐体に結合されたときに前記チャンバと流体連通するように構成された第２の液体コネクタを含む、項目１２および１６のいずれかに記載の装置。
（項目１８）
前記筐体は、２つの液体コネクタをさらに備える、項目１〜１６のいずれかに記載の装置。
（項目１９）
液体貯留部と、
前記２つの液体コネクタを介して、前記貯留部から前記筐体の前記チャンバへ液体を循環させるように構成されたポンプと
をさらに備える、項目１７〜１８のいずれかに記載の装置。
（項目２０）
前記パルス発生システムは、２０Ｈｚ〜２００Ｈｚの割合で電圧パルスを前記複数の電極に印加するように構成されている、項目１〜１９のいずれかに記載の装置。
（項目２１）
前記パルス発生システムは、５０Ｈｚ〜２００Ｈｚの割合で電圧パルスを前記複数の電極に印加するように構成されている、項目２０に記載の装置。
（項目２２）
前記パルス発生システムは、
第１の容量／誘導コイル回路
を備え、前記第１の容量／誘導コイル回路は、
前記電圧パルスのうちの少なくともいくつかを印加するように放電されるように構成された誘導コイルと、
スイッチと、
コンデンサと
を備え、前記コンデンサおよび前記スイッチは、前記誘導コイルと電流源との間で並列に結合されている、項目１〜２１のいずれかに記載の装置。
（項目２３）
前記パルス発生システムは、
前記第１の容量／誘導コイル回路に類似する第２の容量／誘導コイル回路と、
前記第１の容量／誘導コイル回路および第２の容量／誘導コイル回路のそれぞれの前記誘導コイルの放電を調整するように構成されたタイミングユニットと
を備える、項目９に直接的または間接的に従属する、項目２２に記載の装置。
（項目２４）
標的細胞を備える患者の領域に隣接して、項目１〜２３のいずれかに記載の装置の前記衝撃波出口を位置付けることと、
前記流体を通して前記標的細胞に衝撃波を伝搬するように、パルス発生システムを起動することと
を含む、方法。
（項目２５）
前記複数の衝撃波の少なくとも一部分は、入墨を含む患者の表皮層の一部分に送達される、項目２４に記載の方法。
（項目２６）
前記装置は、項目３〜８、および、項目３〜８のいずれかに直接的または間接的に従属する、項目９〜２１のいずれかに記載の装置であり、前記方法はさらに、
前記装置を位置付けている間に、前記窓を通して前記領域を視認することを含む、項目２４に記載の方法。
（項目２７）
前記装置は、項目１２〜１６、および、項目１２〜１６のいずれかに直接的または間接的に従属する、項目１６〜２１の１項に記載の装置であり、前記方法はさらに、
前記パルス発生システムを起動することに先立って、前記スパークモジュールを前記筐体に結合することを含む、項目２４に記載の方法。
（項目２８）
スパークモジュールを備える装置であって、前記スパークモジュールは、
前記スパークモジュールをプローブに解放可能に結合するように構成された側壁と、
前記側壁の第１の側面上に配置され、１つまたは複数のスパーク間隙を画定する、複数の電極と、
前記複数の電極と電気連通し、前記１つまたは複数のスパーク間隙を横断してスパークを発生させるように前記電極をパルス発生システムに解放可能に接続するように構成された複数の電気コネクタと
を備える、装置。
（項目２９）
前記側壁は、ポリマーを含む、項目２８に記載の装置。
（項目３０）
前記側壁は、前記側壁を通して液体を連通させるように構成された液体コネクタを含む、項目２８に記載の装置。
（項目３１）
前記側壁は、内側に前記複数の電極が配置されたスパークチャンバを画定し、前記スパークチャンバは、液体で充填されるように構成され、前記側壁の少なくとも一部分は、前記スパークチャンバ中の液体から前記筐体の前記チャンバ中の液体へ衝撃波を伝えるように構成されている、項目２８〜２９のいずれかに記載の装置。
（項目３２）
前記スパークモジュールはさらに、前記スパークチャンバを液体で充填することができるように、前記スパークチャンバと流体連通している１つまたは複数の液体コネクタを備える、項目３１に記載の装置。
（項目３３）
前記１つまたは複数の液体コネクタは、前記スパークチャンバを通して液体を循環させることができる２つの液体コネクタを備える、項目３２に記載の装置。
（項目３４）
前記側壁は、前記スパークモジュールを、チャンバを有する前記プローブに解放可能に結合するように構成され、それにより、前記電極が前記プローブの前記チャンバ内に配置される、項目２８〜３１のいずれかに記載の装置。
（項目３５）
前記側壁および前記プローブは、前記チャンバを画定するように協働する、項目３４に記載の装置。
（項目３６）
前記スパークモジュールはさらに、前記プローブの前記チャンバと流体連通している１つまたは複数の液体コネクタを備え、それにより、前記プローブの前記チャンバを、前記１つまたは複数の液体コネクタを通る液体で充填することができる、項目３４に記載の装置。
（項目３７）
前記１つまたは複数の液体コネクタは、２つの液体コネクタを備え、前記２つの液体コネクタを介して、前記プローブの前記チャンバを通して液体を循環させることができる、項目３６に記載の装置。
（項目３８）
前記スパークモジュールは、前記スパークモジュールが前記プローブに結合されたときに前記チャンバと流体連通するように構成された第１の液体コネクタを含み、前記プローブは、前記スパークモジュールが前記プローブに結合されたときに前記チャンバと流体連通するように構成された第２の液体コネクタを含む、項目３６に記載の装置。
（項目３９）
前記１つまたは複数のスパーク間隙は、複数のスパーク間隙を備える、項目２８〜３７のいずれかに記載の装置。
（項目４０）
前記複数の電極は、２つのスパーク間隙を画定する３つまたは４つの電極を備える、項目３９に記載の装置。
（項目４１）
前記３つまたは４つの電極は、第１の周囲電極と、前記第１の電極から離間された第２の周囲電極と、前記周囲電極間で前後に移動するように構成された１つまたは２つの中心電極とを備える、項目４０に記載の装置。
（項目４２）
前記スパークモジュールはさらに、前記１つまたは２つの中心電極に結合された伸長部材を備え、前記伸長部材は、前記周囲電極間で前後に前記１つまたは２つの中心電極を保持するように移動するように構成されている、項目４１に記載の装置。
（項目４３）
前記１つまたは２つの中心電極は、２つの中心電極を備え、前記２つの中心電極は、相互と電気連通し、前記伸長部材の両側に配置される、項目４２に記載の装置。
（項目４４）
前記伸長部材は、動作周波数の期待範囲内で前記周囲電極と前記１つまたは２つの中心電極との間の前記スパーク間隙を自己調整するように構成される、項目４２〜４３のいずれかに記載の装置。
（項目４５）
前記動作周波数の期待範囲は、１０Ｈｚ〜５ＭＨｚである、項目４４に記載の装置。
（項目４６）
前記伸長部材は、前記側壁に枢動可能に結合され、１つまたは複数のばねアームによって初期位置に向かって付勢される、項目４２〜４４のいずれかに記載の装置。
（項目４７）
前記伸長部材および前記１つまたは複数のばねアームは、動作周波数の期待範囲内で前記スパークモジュールのパルス繰り返し数を決定するように構成されている、項目４６に記載の装置。
（項目４８）
前記動作周波数の期待範囲は、１０Ｈｚ〜５ＭＨｚである、項目４７に記載の装置。
（項目４９）
前記装置は、前記伸長部材の移動が、前記１つまたは２つの中心電極と前記周囲電極のそれぞれとの間の前記スパーク間隙を自動的かつ交互に調整するように、前記電極が液体に浸漬されている間に前記電極間で電気パルスを放電するように構成されている、項目４６〜４７のいずれかに記載の装置。
（項目５０）
前記伸長部材は、前記側壁に固定関係で結合される基部を有する弾性ビームを備える、項目４２〜４４のいずれかに記載の装置。
（項目５１）
前記弾性ビームは、期待動作条件において前記スパークモジュールのパルス繰り返し数を決定するように構成される、項目５０に記載の装置。
（項目５２）
前記装置は、前記弾性ビームの移動が、前記１つまたは２つの中心電極と前記周囲電極のそれぞれとの間の前記スパーク間隙を自動的かつ交互に調整するように、前記電極が液体に浸漬されている間に前記電極間で電気パルスを放電するように構成されている、項目５０〜５１のいずれかに記載の装置。
（項目５３）
前記スパークモジュールの前記側壁は、ピン、溝、またはねじ山のうちの少なくとも１つを備え、前記スパークモジュールを前記筐体に解放可能に結合するように、対応する溝、ピン、またはねじ山のうちの少なくとも１つを備えるプローブに結合されるように構成されている、項目２８〜３７のいずれかに記載の装置。
（項目５４）
前記複数の電極が液体で充填可能であるチャンバの中に配置されるように、かつ前記電極から生じる衝撃波が前記装置の衝撃波出口を通って進行するように、前記スパークモジュールに結合されるように構成されたプローブをさらに備える、項目２８〜５３のいずれかに記載の装置。
（項目５５）
前記チャンバは、液体で充填される、項目５４に記載の装置。
（項目５６）
前記プローブは、追加のチャンバを画定せず、それにより、前記スパークチャンバが、前記電極から生じる衝撃波が通って伝搬する唯一のチャンバである、項目３１に直接的または間接的に従属する、項目５４〜５５のいずれかに記載の装置。
（項目５７）
前記プローブは、第２のチャンバを画定し、前記スパークモジュールが前記プローブに結合された場合に前記第２のチャンバ内に前記スパークチャンバが配置される、項目３１に直接的または間接的に従属する、項目５４〜５５のいずれかに記載の装置。
（項目５８）
前記プローブは、前記スパークモジュールの前記複数の電気コネクタに結合されるように構成された複数の電気コネクタを含む、項目５４〜５７のいずれかに記載の装置。
（項目５９）
前記プローブは、前記スパークモジュールの前記１つまたは複数の液体コネクタに結合されるように構成された１つまたは複数の液体コネクタを含む、項目３２および３６のいずれかに直接的または間接的に従属する、項目５８に記載の装置。
（項目６０）
前記プローブは、前記スパークモジュールの前記２つの液体コネクタに結合されるように構成された２つの液体コネクタを含む、項目３３および３７のいずれかに直接的または間接的に従属する、項目５９に記載の装置。
（項目６１）
前記スパークモジュールは、前記スパークモジュールが前記プローブに結合されると、前記スパークモジュールの前記電気コネクタおよび液体コネクタが、前記プローブのそれぞれの電気コネクタおよび液体コネクタに同時に接続されるように、前記プローブに結合されるように構成されている、項目５９〜６０のいずれかに記載の装置。
（項目６２）
前記プローブは、前記スパークモジュールの前記１つまたは複数の液体コネクタに結合されるように構成された１つまたは複数の液体コネクタを含む、項目３２および３６のいずれかに直接的または間接的に従属する、項目５４〜５７のいずれかに記載の装置。
（項目６３）
前記プローブは、２つまたはそれより多い電導体と、液体を連通させるための２つの管腔とを有する複合接続部を含み、前記複合接続部は、２つまたはそれより多い電導体と、液体を連通させるための２つの管腔とを有する複合テザーまたはケーブルに結合されるように構成されている、項目５４〜６２のいずれかに記載の装置。
（項目６４）
前記複合接続部は、前記複合テザーまたはケーブルに取り外し可能に結合されるように構成されている、項目６３に記載の装置。
（項目６５）
前記プローブは、ユーザが標的細胞を備える患者の領域を視認することを可能にするように構成された半透明または透明窓を伴う筐体を含む、項目５４〜６４のいずれかに記載の装置。
（項目６６）
前記スパークモジュールが前記プローブに結合された場合、前記複数の電極は、前記窓および前記衝撃波出口を通して領域を視認するユーザにとって可視的ではない、項目６５に記載の装置。
（項目６７）
前記窓と前記複数の電極との間に配置された光学遮蔽体をさらに備える、項目６６に記載の装置。
（項目６８）
前記光学遮蔽体は、明るい光の存在下で暗くなるかまたは不透明度が増加する感光性材料を含む、項目６７に記載の装置。
（項目６９）
前記複数の電極は、前記窓および前記衝撃波出口を通って延在する光学経路からオフセットされる、項目６６に記載の装置。
（項目７０）
前記複数の電極から前記衝撃波出口へ衝撃波を反射するように構成された音響ミラーをさらに備える、項目６９に記載の装置。
（項目７１）
前記音響ミラーは、ガラスを含む、項目７０に記載の装置。
（項目７２）
１つまたは複数のスパーク間隙を画定する複数の電極を有するスパークモジュールに結合されるように構成されたプローブをさらに備え、前記複数の電極が、液体で充填可能であるチャンバの中に配置される、装置。
（項目７３）
前記チャンバは、液体で充填される、項目７２に記載の装置。
（項目７４）
前記プローブは、前記スパークモジュールと協働して前記チャンバを画定するように構成されている、項目７２に記載の装置。
（項目７５）
前記プローブは、前記スパークモジュールが前記プローブに結合されたときに前記チャンバと流体連通するように構成された第１の液体コネクタを含み、かつ前記スパークモジュールが前記プローブに結合されたときに前記チャンバと流体連通するように構成された第２の液体コネクタを含むスパークモジュールに結合されるように構成される、項目７２〜７４のいずれかに記載の装置。
（項目７６）
前記スパークモジュールは、内側に前記複数の電極が配置されるスパークチャンバを画定する側壁を含み、前記プローブは、追加のチャンバを画定せず、それにより、前記スパークチャンバが、前記電極から生じる衝撃波が通って伝搬する唯一のチャンバである、項目７２〜７３のいずれかに記載の装置。
（項目７７）
前記スパークモジュールは、内側に前記複数の電極が配置されるスパークチャンバを画定する側壁を含み、前記プローブは、前記スパークモジュールが前記プローブに結合された場合に内側に前記スパークチャンバが配置される第２のチャンバを画定する、項目７２〜７３のいずれかに記載の装置。
（項目７８）
前記プローブは、前記複数の電極と電気連通している前記スパークモジュールの複数の電気コネクタに結合されるように構成された複数の電気コネクタを含む、項目７２〜７７のいずれかに記載の装置。
（項目７９）
前記プローブは、前記スパークモジュールの１つまたは複数の液体コネクタに結合されるように構成された１つまたは複数の液体コネクタを含む、項目７８に記載の装置。
（項目８０）
前記プローブは、前記スパークモジュールの前記２つの液体コネクタに結合されるように構成された２つの液体コネクタを含む、項目７９に記載の装置。
（項目８１）
前記スパークモジュールは、前記スパークモジュールが前記プローブに結合されると、前記スパークモジュールの前記電気コネクタおよび液体コネクタが、前記プローブのそれぞれの電気コネクタおよび液体コネクタに同時に接続されるように、前記プローブに結合されるように構成されている、項目７９〜８０のいずれかに記載の装置。
（項目８２）
前記プローブは、２つまたはそれより多い電導体と、液体を連通させるための２つの管腔とを有する複合接続部を含み、前記複合接続部は、２つまたはそれより多い電導体と、液体を連通させるための２つの管腔とを有する複合テザーまたはケーブルに結合されるように構成されている、項目７２〜８１のいずれかに記載の装置。
（項目８３）
前記複合接続部は、前記複合テザーまたはケーブルに取り外し可能に結合されるように構成される、項目８２に記載の装置。
（項目８４）
前記プローブは、ユーザが標的細胞を備える患者の領域を視認することを可能にするように構成された半透明または透明窓を伴う筐体を含む、項目７２〜８３のいずれかに記載の装置。
（項目８５）
前記スパークモジュールが前記プローブに結合された場合、前記複数の電極は、前記窓および前記衝撃波出口を通して領域を視認するユーザにとって可視的ではない、項目８４に記載の装置。
（項目８６）
前記窓と前記複数の電極との間に配置される光学遮蔽体をさらに備える、項目８５に記載の装置。
（項目８７）
前記複数の電極は、前記窓および前記衝撃波出口を通って延在する光学経路からオフセットされる、項目８５に記載の装置。
（項目８８）
前記複数の電極から前記衝撃波出口へ衝撃波を反射するように構成された音響ミラーをさらに備える、項目８７に記載の装置。
（項目８９）
前記音響ミラーは、ガラスを含む、項目８８に記載の装置。
（項目９０）
電荷を繰り返し貯蔵して放出するように構成されたパルス発生システムをさらに備え、前記パルス発生システムは、前記スパークモジュールの前記電極を通して前記電荷を放出するように、前記スパークモジュールの前記電気コネクタに結合されるように構成されている、項目５４〜８９のいずれかに記載の装置。
（項目９１）
前記パルス発生システムは、単一の充電／放電回路を含む、項目９０に記載の装置。
（項目９２）
前記パルス発生システムは、複数の充電／放電回路と、前記複数の充電／放電回路の充電および放電を調整するように構成されたタイミングユニットとを含む、項目９０に記載の装置。
（項目９３）
前記充電／放電回路のそれぞれは、容量／誘導コイル回路を含む、項目９１〜９２のいずれかに記載の装置。
（項目９４）
各容量／誘導コイル回路は、
前記電圧パルスのうちの少なくともいくつかを印加するように放電されるように構成された誘導コイルと、
スイッチと、
コンデンサと
を備え、前記コンデンサおよび前記スイッチは、前記誘導コイルと前記タイミングユニットとの間で並列に結合される、項目９３に記載の装置。
（項目９５）
前記パルス発生システムは、２０Ｈｚ〜２００Ｈｚの割合で電圧パルスを前記複数の電極に印加するように構成されている、項目９０〜９４のいずれかに記載の装置。
（項目９６）
前記パルス発生システムは、５０Ｈｚ〜２００Ｈｚの割合で電圧パルスを前記複数の電極に印加するように構成されている、項目９５に記載の装置。
（項目９７）
液体貯留部と、前記貯留部から前記筐体の前記チャンバへ液体を循環させるように構成されたポンプと
をさらに備える、項目８４〜９１のいずれかに記載の装置。
（項目９８）
複数の充電／放電回路と、１０の間の割合で前記複数の充電／放電回路の充電および放電を調整するように構成されたタイミングユニットとを含むパルス発生システムを備え、前記パルス発生システムは、スパークモジュールの複数の電極に結合されて、前記電極を通して前記充電／放電回路を放電するように構成されている、装置。
（項目９９）
構成されたものをさらに備える、項目９８に記載の装置。
（項目１００）
前記充電／放電回路のそれぞれは、容量／誘導コイル回路を含む、項目９８に記載の装置。
（項目１０１）
各容量／誘導コイル回路は、
前記電圧パルスのうちの少なくともいくつかを印加するように放電されるように構成された誘導コイルと、
スイッチと、
コンデンサと
を備え、前記コンデンサおよび前記スイッチは、前記誘導コイルと前記タイミングユニットとの間で並列に結合される、項目１００に記載の装置。
（項目１０２）
前記パルス発生システムは、２０Ｈｚ〜２００Ｈｚの割合で電圧パルスを前記複数の電極に印加するように構成されている、項目９８〜１０１のいずれかに記載の装置。
（項目１０３）
前記パルス発生システムは、５０Ｈｚ〜２００Ｈｚの割合で電圧パルスを前記複数の電極に印加するように構成されている、項目１０２に記載の装置。
（項目１０４）
液体貯留部と、
前記貯留部から前記筐体の前記チャンバへ液体を循環させるように構成されたポンプと、
をさらに備える、項目９８〜１０３のいずれかに記載の装置。
（項目１０５）
標的細胞を備える患者の領域に隣接して、項目５４〜７１のいずれか、または、項目５４〜７１に直接的または間接的に従属する、項目８４〜９７のいずれかに記載の装置の前記衝撃波出口を位置付けることと、
前記流体を通して前記標的細胞に衝撃波を伝搬するように、パルス発生システムを起動することと
を含む、方法。
（項目１０６）
前記複数の衝撃波の少なくとも一部分は、入墨を含む患者の表皮層の一部分に送達される、項目１０５に記載の方法。
（項目１０７）
前記装置は、窓を伴うプローブを含み、前記方法はさらに、
前記装置を位置付けている間に、前記窓を通して前記領域を視認することを含む、項目１０５に記載の方法。
（項目１０８）
前記装置は、スパークモジュールを含み、前記方法はさらに、
前記パルス発生システムを起動することに先立って、前記スパークモジュールを前記筐体に結合することを含む、項目１０５に記載の方法。
（項目１０９）
１０の間の周波数で複数の衝撃波を電気液圧式に発生させることと、
異質性の少なくとも１つの領域を備える少なくとも１つの細胞構造に、前記複数の衝撃波の少なくとも一部分を送達することと、
前記複数の衝撃波の持続的送達によって、前記少なくとも１つの細胞構造を断裂することと
を含む、方法。
（項目１１０）
前記異質性の少なくとも１つの領域は、前記少なくとも１つの細胞構造の有効密度を上回る有効密度を備える、項目１０９に記載の方法。
（項目１１１）
音響波の周波数を変動させるステップをさらに含む、項目１０９に記載の方法。
（項目１１２）
前記複数の衝撃波の少なくとも一部分は、患者の表皮層に送達される、項目１０９に記載の方法。
（項目１１３）
前記衝撃波を受け取る前記表皮層の一部分は、入墨顔料粒子を含有する細胞を含む、項目１１２に記載の方法。
（項目１１４）
衝撃波の少なくとも一部分を前記少なくとも１つの標的細胞構造に送達することに先立って、断裂される少なくとも１つの標的細胞構造を識別することをさらに含む、項目１０９に記載の方法。
（項目１１５）
異質性の少なくとも１つの領域を備える少なくとも１つの細胞構造が断裂するまで、前記少なくとも１つの細胞構造に電気液圧式に発生させられた複数の衝撃波を送達することを含む、方法。
（項目１１６）
前記複数の衝撃波の少なくとも一部分は、入墨顔料粒子を含有する細胞を含む患者の表皮層の一部分に送達される、項目１１５に記載の方法。
（項目１１７）
前記衝撃波は、２４時間の期間で３０分以下の間前記少なくとも１つの細胞構造に送達される、項目２４〜２７および１０５〜１１５のいずれかに記載の方法。
（項目１１８）
前記衝撃波は、２４時間の期間で２０分以下の間前記少なくとも１つの細胞構造に送達される、項目１１６に記載の方法。
（項目１１９）
２００〜５０００の衝撃波が、衝撃波出口の複数の位置のそれぞれにおいて、３０秒〜２０分で送達される、項目１１６〜１１８のいずれに記載の方法。
（項目１２０）
前記衝撃波を送達している間に、患者の皮膚の一部分に張力を加えることをさらに含む、項目２４〜２７および１０５〜１１９のいずれかに記載の方法。
（項目１２１）
前記張力を加えることは、前記患者の皮膚の前記一部分に凸状出口部材を押し付けることによって行われる、項目１２０に記載の方法。
（項目１２２）
レーザ光を前記少なくとも１つの細胞構造に送達すること、および／または
化学または生物学的薬剤を前記少なくとも１つの細胞構造に送達すること
をさらに含む、項目１０５〜１２１のいずれかに記載の方法。